(57)【特許請求の範囲】
【請求項１】
車椅子の座シートの両側に位置していて、車椅子使用者着用のウエディングドレスのスカート部分が車椅子のシート両側と車輪部とを覆うように配されるウエディングドレス用のスカートガードにおいて、椅子フレームに取り付けられたガード本体と、金属線を格子状に組んだ格子とされ、前記ガード本体の内面に沿って椅子高さ方向に立てられて上端の位置を車椅子のシート側方支持部の上部高さ位置より上位にした薄形の縦板部と、金属線を格子状に組んだ格子とされ、前記縦板部の前記上端に連続して該上端から前記シート側方支持部の上方と車輪部の上方とを通って椅子幅方向での外側に向けて張り出している横板部とからなり、前記横板部の張り出し端が、車輪部におけるハンドリムの最外側端の上方位置より椅子幅方向での外側に位置していることを特徴とする車椅子のウエディングドレス用のスカートガード。
【発明の詳細な説明】
【技術分野】
【０００１】
本発明は車椅子のウエディングドレス用のスカートガードに関するものである。
【背景技術】
【０００２】
従来から車椅子においては、座シートの両側それぞれにスカートガードが配置されている。このスカートガードは、厚手で丈夫な布材などからなる座シートと同一の素材を用いたり、或いは合成樹脂製板材などからなる硬質素材を用い、これを金属パイプなどからなる椅子フレームに取り付けて座シートの両側で椅子高さ方向に立てて取り付けられている。そして、このスカートガードは、車椅子使用者の腰横や大腿部外側にくるスカートのサイド部分やスーツの両サイドの下縁部分が車輪部（後輪とハンドリム）と擦れたり、回転する車軸部に巻き込まれるのを防止し、使用者の腰や大腿部が椅子幅方向に大きく移動しないようにして安定的に着座できるようにするために配置されている。また、昨今においてはこのスカートガードやスカートガードの上方に配置されるアームレストを分割タイプのフレームとともに着脱可能にして使用者の乗り降りが簡単に行なえるようにした工夫も提案されている（特許文献１参照）。
なお、車椅子においてスカートガードをスーツガードと称する場合もあるが、スカートガードとスーツガードとは同一のものであり、以降、スーツガードと称されるものもスカートガードとして表現している。
【特許文献１】特開２００１−２５２３１０公報
【発明の開示】
【発明が解決しようとする課題】
【０００３】
ところで車椅子使用者の女性が結婚披露宴にてウエディングドレス姿で車椅子に座れるようにしたいとの要望がある。このウエディングドレスなどのようにスカートの部分が大きく広がっているドレスを着用した状態で車椅子に座る場合、スカートの部分で車椅子のシート両側を上記車輪も含めて被せて覆うようにすれば、無機質的でドレスの色合いと全く異なる車輪部が隠れるためドレスのあでやかさなどが損なわれない。
しかしながら、スカートの上部部分を広げてアームレストを乗り越えるようにしてスカートを覆い被せるようにしても、またアームレストが無い車椅子の場合にはスカートガードの部分を乗り越えるようにして覆い被せるようにしても、スカートの内側が車輪部の側面に沿って垂れてしまい、そのスカートの内側の素材が前記車輪やハンドリムに重なることから、結婚披露宴での宴場で移動する際、回転する車輪部のハンドリムとスカートの内側の生地（後述のチュール生地）などとが強く擦り合ったり、スカートの裾を車輪下に引き込み易くなるという問題がある。
【０００４】
また、一般的にウエディングドレスのスカートを広がりを持った形態とするためにスカート下（スカートの内側）に保形性に優れたチュール生地を用い、このチュール生地に対して広がった形状となる加工を施したパニエを着用しており、そのパニエの回りにスカートの上生地を配している。そして、車椅子使用者の場合でも、上述したようにスカートの上部の部分がアームレストやスカートガードを越えるようにするために、ウエディングドレス着用者のウエスト辺りの高さの部分ではスカート下のチュール生地を左右の方向や前方へと広がりが得られるように加工したパニエを作成することになる。このようなパニエを着用することで通常のウエディングドレスと同様に柔らかな膨らみや広がりをスカートに醸し出すことができる。
しかし、着用者のウエスト辺りから略水平方向に広がるようにするとスカートの上部の部分が或る程度重くなり、その広がりの形をパニエの機能だけで保つことはできず、スカートの上部の部分が垂れ落ちる傾斜になってしまうという問題がある。
【０００５】
なお、チュール生地にボーン（骨部材）を組み合わせてパニエを作成することも考えられるが、チュール生地とボーンとの組み合わせの加工が非常に煩雑になるとともに、チュール生地で折りや重ねを作り難くなる。即ち、チュール生地の種類に応じて折りや重ねを変えてパニエを作成しており、そして、スカートの上生地を透してパニエの柔らかな折りや重ねが見えることがウエディングドレスの華麗さや豪華さを引き出す重要な要素であるため、チュール生地の利点を無し易いボーンの組み合わせは採用できないものであった。
そこで、本発明は上記事情に鑑み、車椅子使用者がウエディングドレスを着て車椅子に着座しても、ウエスト辺りで回りに広がるスカートの上部の部分が簡単な構成で下方に傾斜しないようにすることを課題とし、車椅子使用者に応じて作成されたウエディングドレスのデザインが保たれるようにすることを目的とする。
【課題を解決するための手段】
【０００６】
本発明は上記課題を考慮してなされたもので、車椅子の座シートの両側に位置していて、車椅子使用者着用のウエディングドレスのスカート部分が車椅子のシート両側と車輪部とを覆うように配されるウエディングドレス用のスカートガードにおいて、椅子フレームに取り付けられたガード本体と、金属線を格子状に組んだ格子とされ、前記ガード本体の内面に沿って椅子高さ方向に立てられて上端の位置を車椅子のシート側方支持部の上部高さ位置より上位にした薄形の縦板部と、金属線を格子状に組んだ格子とされ、前記縦板部の前記上端に連続して該上端から前記シート側方支持部の上方と車輪部の上方とを通って椅子幅方向での外側に向けて張り出している横板部とからなり、前記横板部の張り出し端が、車輪部におけるハンドリムの最外側端の上方位置より椅子幅方向での外側に位置していることを特徴とする車椅子のウエディングドレス用のスカートガードを提供して、上記課題を解消するものである。
【発明の効果】
【０００７】
本発明によれば、薄形の縦板部が椅子フレームに取り付けられたガード本体に沿って立って配置するものであるため、車椅子に着座している使用者に窮屈感を与えることがなく、そのガード本体と着座している車椅子使用者の大腿部との間で縦板部が立つことで横板部が車椅子の椅子側方に向けて張り出ることとなる。そして、前記横板部にスカートの上部の部分を乗せ置くことで、スカートの裾が車輪の接地位置から離れるようになり、車椅子を移動させても車輪部とスカートの内面側とが擦り合うことはなく、また、スカートの裾を車輪が引き込むということも防止できる。
【発明を実施するための最良の形態】
【０００８】
つぎに本発明を図１と図２に基づいて詳細に説明する。
図中１は車椅子のスカートガードである。このスカートガード１は車椅子２に着座した車椅子使用者の側部において位置するもので、図示したように座シート３の両側にあって椅子フレームの一部となっているアームパイプ４に取り付けして固定され、着座した車椅子使用者の腰側面や大腿部側面が相対するガード本体５と、略く字状に曲成された板部材６とで構成されている。
そして、前記板部材６は金属線を格子状に組んだ薄形の板状物を略中央の位置で略直角に曲げたものであり、ガード本体５の内面に沿って椅子高さ方向に立てられた薄形の縦板部７と、この縦板部７の上端に連続して同じく薄形とされた横板部８とからなり、横板部８が縦板部７に対して略９０度の方向となる外方に向けて略水平にして張り出している。板部材６自体は比較的剛性を高くして作成されていて、縦板部７と横板部８とが連続している曲がり部分の角度も含めた全体形状は、後述するようにウエディングドレスのスカートの上部の部分を上から乗せ置くようにしても大きな変形を生じることのないように設けられている。
【０００９】
上述したようにスカートガード１は、車椅子の２の椅子フレームに取付固定されているガード本体５とこのガード本体５の内面に沿って立つ縦板部７とこの縦板部７の上部から椅子幅方向での外方に向けて略水平に張り出る横板部８とからなり、車椅子に着座した車椅子使用者の腰横や大腿部横とガード本体５との間に前記縦板部７を差し入れることで前記横板部８が椅子幅方向での外方に向けて張り出る状態が維持される。
縦板部７の上端の高さは図示するように、ガード本体５やアームパイプ４などからなるシート側方支持部１０の上部の高さ位置より高く、このシート側方支持部１０の上位置で前記横板部８が外方に張り出る。図示の例ではシート側方支持部１０がアームレストを備えないものであるが、アームレストが備え付けられるシート側方支持部である場合にも、縦板部７の上端の高さ位置はそのアームレストの位置より高く、よって横板部８はアームレストより上位置で外方に張り出る。そして、横板部８の張り出し端９が、図示のように車輪部の上方を通って車輪部の最外側端（ハンドリムの最外側位置）１１の上方位置より椅子幅方向での外側に位置するように設けられている。
【００１０】
このようにスカートガード１では上記横板部８の張り出し端９を車輪部の最外側端１１の上方位置より椅子幅方向での外側に位置するように設けられているので、ウエディングドレスを着た車椅子使用者がその車椅子に着座し、ウエディングドレスのスカートの上部の部分が左右側方（椅子幅方向）や前方に広がる形態で加工したものであれば、スカート下のパニエの前記広がり部分を本スカートガード１の横板部８に乗せ置くことで、スカートの上部の広がり部分を下方から支えることができる。そして、横板部８の位置を乗り越えて下がるスカートの内面側は車輪部の側面から間隔１２を持って離れることになり、車椅子の移動に際して車輪側面やハンドリムとスカート内のパニエとが強く擦り合わず、また車輪の下端位置から離れるので、車輪にスカートの裾が引き込まれることがない。
【図面の簡単な説明】
【００１１】
【図１】本発明に係る車椅子のスカートガードの一例を示す説明図である。
【図２】スカートガードにウエディングドレスのスカートを乗せ置いた状態を示す説明図である。
【符号の説明】
【００１２】
１…スカートガード
２…車椅子
３…座シート
４…アームパイプ
５…ガード本体
６…板部材
７…縦板部
８…横板部
９…張り出し端
１０…シート側方支持部
１１…車輪部の最外側端
１２…隙間
【図１】
0005075581.tif 000002
【図２】
0005075581.tif 000003